(57)【要約】【課題】  対応する商品が置かれている商品陳列棚に設置されているプライスカードに、店員用に値引率等の情報を記載する場合、顧客にはわからないが店員にはわかるように記載する必要があるが、例えば、記号や暗号で記載すると、店員が誤解してしまうことがあった。また、記号や暗号の解読に手間がかかり、接客に支障をきたしたり、値引率が変更されると、プライスカードを作り直さなければならなかったりしていた。【解決手段】  値引き情報を記憶した情報記憶部１００をプライスカードに付随させ、店員が携帯している情報読み取り装置２００が、情報記憶部１００が記憶している値引き情報を読み取って表示する。【選択図】  図１
2006040138.tif 000002
【特許請求の範囲】
【請求項１】
商品を取り扱う従業員のみが使用する情報を含む商品に関する情報を記憶する情報記憶手段と、
前記情報記憶手段が記憶している情報を読み取る情報読み取り手段と、
前記情報読み取り手段が読み取った情報を表示する表示手段とを備えた
ことを特徴とする商品情報管理システム。
【請求項２】
情報提供手段と、情報読み取り手段とを備えた商品情報管理システムであって、
前記情報提供手段は、
商品を取り扱う従業員のみが使用する情報を含む商品に関する情報を記憶する情報記憶手段と、
前記情報記憶手段が記憶している前記商品に関する情報を送信する送信手段とを含み、
前記情報読み取り手段は、
前記情報提供手段の前記送信手段が送信する前記商品に関する情報を受信する受信手段と、
前記受信手段が受信した前記商品に関する情報を表示する表示手段と
を含むことを特徴とする商品情報管理システム。
【請求項３】
情報読み取り手段は、情報読み取り要求信号を情報提供手段に送信する要求送信手段を含み、
前記情報提供手段は、前記情報読み取り要求信号を受信する要求受信手段を含み、
前記情報提供手段の送信手段は、前記要求受信手段が前記情報読み取り要求信号を受信すると、商品に関する情報を送信する
請求項２記載の商品情報管理システム。
【請求項４】
情報提供手段は、商品陳列棚に設置されるプライスカードに付随している
請求項２または請求項３記載の商品情報管理システム。
【請求項５】
情報提供手段の情報記憶手段は、書き換え可能である
請求項２から請求項４のうちいずれか１項記載の商品情報管理システム。
【請求項６】
情報提供手段は、情報読み取り手段と無線で通信を行う
請求項２から請求項５のうちいずれか１項記載の商品管理システム。
【請求項７】
情報提供手段は、ＲＦＩＤタグである
請求項２から請求項６のうちいずれか１項記載の商品情報管理システム。
【請求項８】
情報読み取り手段は、ＲＦＩＤリーダである
請求項７記載の商品情報管理システム。
【請求項９】
前記情報記憶手段は、商品に関する情報を暗号化して記憶し、
前記情報読み取り手段は、読み取った情報を復号して表示手段に出力する情報復号手段を含む
請求項２から請求項８のうちいずれか１項記載の商品情報管理システム。
【請求項１０】
商品を取り扱う従業員のみが使用する情報を含む商品に関する情報を記憶する情報記憶手段から情報を読み取り、
読み取った情報を表示手段が表示する
ことを特徴とする商品情報管理方法。
【請求項１１】
商品を取り扱う従業員のみが使用する情報を含む商品に関する情報を記憶し、
記憶している前記商品に関する情報を送信し、
送信した前記商品に関する情報を受信し、
受信した前記商品に関する情報を表示する
ことを特徴とする商品情報管理方法。
【請求項１２】
商品を取り扱う従業員のみが使用する情報を含む商品に関する情報を記憶する情報記憶手段から情報を読み取る情報読み取り手段と、
前記情報読み取り手段が読み取った情報を表示する表示手段とを備えた
ことを特徴とする情報読み取り装置。
【請求項１３】
情報記憶手段が記憶している商品を取り扱う従業員のみが使用する情報を含む商品に関する情報を送信する送信手段から前記商品に関する情報を受信する受信手段と、
前記受信手段が受信した前記商品に関する情報を表示する表示手段と
を含む情報読み取り手段を備えた
ことを特徴とする情報読み取り装置。
【請求項１４】
商品を取り扱う従業員のみが使用する情報を含む商品に関する情報を記憶する情報記憶手段と、
前記情報記憶手段が記憶している前記商品に関する情報を送信する送信手段とを備えた
ことを特徴とするプライスカード。
【請求項１５】
商品を取り扱う従業員のみが使用する情報を含む商品に関する情報を記憶する情報記憶手段と、
前記情報記憶手段が記憶している前記商品に関する情報を送信する送信手段とを備えた
ことを特徴とする情報提供装置。
【請求項１６】
コンピュータに、
商品を取り扱う従業員のみが使用する情報を含む商品に関する情報を記憶する情報記憶手段から情報を読み取らせる情報読み取り処理と、
前記情報読み取り処理で読み取った情報を表示させる表示処理とを実行させる
ことを特徴とする商品情報管理プログラム。
【請求項１７】
コンピュータに、
情報記憶手段が記憶している商品を取り扱う従業員のみが使用する情報を含む商品に関する情報を送信する送信手段から前記商品に関する情報を受信させる受信処理と、
前記受信処理で受信した前記商品に関する情報を表示させる表示処理とを実行させる
ことを特徴とする商品情報管理プログラム。
【発明の詳細な説明】
【技術分野】
【０００１】
本発明は、商品の情報を管理する商品情報管理システム、商品情報管理方法、情報読み取り装置、プライスカードおよび商品情報管理プログラムに関し、特に、商品陳列棚に設置したプライスカードに付随している情報記憶手段が記憶している情報を用いる商品情報管理システム、方法、情報読み取り装置、プライスカード、情報提供装置、およびプログラムに関する。
【背景技術】
【０００２】
店舗等に入荷し商品陳列棚に置いた商品の管理に関しては、古くはバーコードを、近年ではＲＦＩＤ（Ｒａｄｉｏ  Ｆｒｅｑｕｅｎｃｙ  ＩＤｅｎｔｉｆｉｃａｔｉｏｎ）タグを使用した効率化が検討されている。バーコードを使用した商品管理では、商品に貼り付けられたバーコードの情報をひとつひとつ手作業でバーコードリーダを近づけて読み取る必要があったが、ＲＦＩＤタグを用いることによりリアルタイムで自動的に情報を読み取ることが可能となる。
【０００３】
従来の商品管理システムの一例が、特許文献１に記載されている。この従来の商品管理システムは、複数の区画に保管または陳列された商品と、その商品に装着され、その商品に固有の識別コードを有するＲＦＩＤタグと、ＲＦＩＤタグに識別コードを書き込む登録機と、ＲＦＩＤタグの信号を受信するアンテナと、アンテナと接続されアンテナが受信した信号を読み取る読み取り機とからなる読み取りユニットと、読み取り機が読み取った識別コードを送信する情報管理手段とから構成されている。
【０００４】
このような構成を有する従来の商品管理システムは次のように動作する。まず、登録機を使用して入荷された商品の識別コードをＲＦＩＤタグに書き込み、各区画に設置された読み取りユニットに個別のアドレスを設定する。そして、識別コードに対応する商品の種類や値段等の商品の情報と、読み取りユニットに付されたアドレスに対応する区画名を示す区画情報とを情報管理手段の記憶部に記憶させる。
【０００５】
次いで、識別コードが書き込まれたＲＦＩＤタグを商品に装着し、この商品を商品陳列棚（所定区画）に収納する。商品が商品陳列棚に収納されると、商品陳列棚に配設された読み取りユニットによって商品のＲＦＩＤタグの識別コードが読み取られ、読み取られた識別コードは情報管理手段に送信されて読み取りユニットのアドレスとともに記憶部に記憶される。商品が販売される等して商品陳列棚から移動されると、移動された商品のＲＦＩＤタグの識別コードは商品陳列棚の読み取りユニットで読み取られなくなり、情報管理手段がどの商品がいつどの読み取りユニットから読み取らなくなったかを判断し、情報管理手段の表示部に表示する。すると、商品管理者は、表示部の表示からどの商品がいつどの商品陳列棚から無くなったかを把握し、現在の在庫状況を確認することができる。
【０００６】
【特許文献１】特開２００１−３１２１８号公報（段落０００５〜００１０、図４）
【発明の開示】
【発明が解決しようとする課題】
【０００７】
しかし、特許文献１に記載されているシステムは、商品に印刷するだけでよいバーコードに対し、ゴマ粒ほどのＩＣチップを持つＲＦＩＤタグはおよそ数十円から数百円（２００４年現在）と高額であるという問題がある。従って、単価が数十円程度の安い商品に貼り付けて商品管理を行うのはコストの面から難しく、技術革新が進みＲＦＩＤタグが数円程度以下になる必要がある。また、販売時に店員がＲＦＩＤタグを取り外し他の商品の管理用に再利用するなどといった方法が考えられるが、店員がＲＦＩＤタグをはずす手間がかかってしまうため商品販売量の多いスーパーマーケットやコンビニエンスストア等でこのような運用を行うのは困難である。
【０００８】
ところで、顧客に商品名や価格等を表示するプライスカードと呼ばれるカードがある。プライスカードは、対応する商品の置かれている商品陳列棚に設置される。図５は、プライスカードの一例を示す説明図である。図５の例に示すプライスカードは、商品名表示部１０１に商品名“○○フーズ  ポテトチップス”が表示され、バーコード１０２に商品コード情報が印刷され、商品価格表示部１０３に価格“８０円”が表示される。店員は、在庫管理や発注作業を行う際に、携帯端末等でバーコード１０２を読み込む。バーコード１０２を読み込む時に、携帯端末等でプライスカードおよび商品が置かれている商品陳列棚がどこであるのかを示す位置情報を入力すると、各商品が置かれている商品の位置を特定することができる。
【０００９】
また、顧客と店員との双方がプライスカードの表示を見ることができるが、利便性の面から、店員のみが利用する情報をプライスカードに表示するということがあり得る。例えば、商品の値引率の上限は顧客には知らせられないが、顧客にはわからないような暗号や記号で商品の値引率の上限をプライスカードに表示しておくと、顧客にセールストークを行っている店員が、値引率の上限を記憶していなかったとしても、バックヤード等の店員のみが入れる場所に行き、資料等を参照しなくても、顧客の値引きの要求に対してその場で値引率を顧客に提示することができ、便利である。このようなプライスカードの例を図６に示す。図６は、値引率の上限を示す暗号を表示しているプライスカードの一例である。図６に示す例では、値引き情報表示部１０４に値引率の上限の情報である値引き情報が記載されている。図６に示す例において、“Ｓ１Ｗ５０”は、“Ｓ１Ｗ”が“２００４年６月以降”を示し、“５０”が“最大５０％値引きしてよい”ことを示しているとする。すると、“Ｓ１Ｗ５０”は、“２００４年６月以降、最大５０％値引きしてよい”ことを示していることになる。店員は、“Ｓ１Ｗ５０”のような暗号を見て、顧客の値引きの要求に対して値引きを行う。
【００１０】
しかし、プライスカードを用いた場合は、プライスカードのバーコード読み込み時に携帯端末等で位置情報を入力するのは困難であるという問題がある。その理由は、バーコード読み込み作業を行う際にその都度位置情報を入力するのは非常に手間がかかるため、店員の作業量が増大してしまうためである。また、店員のみが利用する情報を暗号や記号でプライスカードに表示した場合、プライスカードに記載された値引率等の顧客に知らせない情報を、店員が誤解して読み取ってしまうという問題や、情報の読み取りに時間がかかり、顧客サービスが低下する可能性があるという問題がある。その理由は、顧客にはわからないように、記号や暗号等で情報を記載しているためである。さらに、プライスカード作成後に値引率等が変更された場合、プライスカードを作り直す必要があるという問題がある。その理由は、プライスカードに値引率等の顧客に知らせない情報を印刷しているため、変更ができないからである。
【００１１】
そこで、本発明は、値引率等の顧客に知らせない情報を記憶する情報記憶手段をプライスカードに付随させ、情報記憶手段が記憶している情報を情報読み取り手段が読み取ることにより、顧客に知られずに情報記憶手段が記憶している情報を従業員（店員）に知らせることができる商品情報管理システム、方法、情報読み取り装置、プライスカード、情報提供装置、およびプログラムを提供することを目的とする。
【課題を解決するための手段】
【００１２】
本発明による商品情報管理システムは、商品を取り扱う従業員のみが使用する情報を含む商品に関する情報を記憶する情報記憶手段と、情報記憶手段が記憶している情報を読み取る情報読み取り手段と、情報読み取り手段が読み取った情報を表示する表示手段とを備えたことを特徴とする。
【００１３】
本発明による商品情報管理システムは、情報提供手段と、情報読み取り手段とを備えた商品情報管理システムであって、情報提供手段は、商品を取り扱う従業員のみが使用する情報を含む商品に関する情報を記憶する情報記憶手段と、情報記憶手段が記憶している商品に関する情報を送信する送信手段とを含み、情報読み取り手段は、情報提供手段の送信手段が送信する商品に関する情報を受信する受信手段と、受信手段が受信した商品に関する情報を表示する表示手段とを含むことを特徴とする。
【００１４】
情報読み取り手段は、情報読み取り要求信号を情報提供手段に送信する要求送信手段を含んでもよく、情報提供手段は、情報読み取り要求信号を受信する要求受信手段を含んでもよく、情報提供手段の送信手段は、要求受信手段が情報読み取り要求信号を受信すると、商品に関する情報を送信してもよい。
【００１５】
情報提供手段は、商品陳列棚に設置されるプライスカードに付随していてもよい。また、情報提供手段の情報記憶手段は、書き換え可能であってもよい。さらに、情報提供手段は、情報読み取り手段と無線で通信を行ってもよい。
【００１６】
情報提供手段は、ＲＦＩＤタグであってもよいし、情報読み取り手段は、ＲＦＩＤリーダであってもよい。
【００１７】
情報記憶手段は、商品に関する情報を暗号化して記憶してもよく、情報読み取り手段は、読み取った情報を復号して表示手段に出力する情報復号手段を含んでもよい。そのような構成によれば、商品に関する情報の秘匿性を高くすることができる。
【００１８】
本発明による商品情報管理方法は、商品を取り扱う従業員のみが使用する情報を含む商品に関する情報を記憶する情報記憶手段から情報を読み取り、読み取った情報を表示手段が表示することを特徴とする。
【００１９】
本発明による商品情報管理方法は、商品を取り扱う従業員のみが使用する情報を含む商品に関する情報を記憶し、記憶している商品に関する情報を送信し、送信した商品に関する情報を受信し、受信した商品に関する情報を表示することを特徴とする。
【００２０】
本発明による情報読み取り装置は、商品を取り扱う従業員のみが使用する情報を含む商品に関する情報を記憶する情報記憶手段から情報を読み取る情報読み取り手段と、情報読み取り手段が読み取った情報を表示する表示手段とを備えたことを特徴とする。
【００２１】
本発明による情報読み取り装置は、情報記憶手段が記憶している商品を取り扱う従業員のみが使用する情報を含む商品に関する情報を送信する送信手段から商品に関する情報を受信する受信手段と、受信手段が受信した商品に関する情報を表示する表示手段とを含む情報読み取り手段を備えたことを特徴とする。
【００２２】
本発明によるプライスカードは、商品を取り扱う従業員のみが使用する情報を含む商品に関する情報を記憶する情報記憶手段と、情報記憶手段が記憶している商品に関する情報を送信する送信手段とを備えたことを特徴とする。
【００２３】
本発明による情報提供装置は、商品を取り扱う従業員のみが使用する情報を含む商品に関する情報を記憶する情報記憶手段と、情報記憶手段が記憶している商品に関する情報を送信する送信手段とを備えたことを特徴とする。
【００２４】
本発明による商品情報管理プログラムは、コンピュータに、商品を取り扱う従業員のみが使用する情報を含む商品に関する情報を記憶する情報記憶手段から情報を読み取らせる情報読み取り処理と、情報読み取り処理で読み取った情報を表示させる表示処理とを実行させることを特徴とする。
【００２５】
本発明による商品情報管理プログラムは、コンピュータに、情報記憶手段が記憶している商品を取り扱う従業員のみが使用する情報を含む商品に関する情報を送信する送信手段から商品に関する情報を受信させる受信処理と、受信処理で受信した商品に関する情報を表示させる表示処理とを実行させることを特徴とする。
【発明の効果】
【００２６】
本発明によれば、商品を取り扱う従業員のみが使用する情報を、顧客に知られることなく従業員が容易に読み取ることができる。
【発明を実施するための最良の形態】
【００２７】
実施の形態１．
本発明の第１の実施の形態について図面を参照して説明する。図１は、本発明の第１の実施の形態を説明するブロック図である。
【００２８】
本発明の実施の形態は、プライスカードに付随し、商品の情報を記憶する情報記憶部（情報記憶手段）３０１、および無線通信で情報記憶部３０１が記憶している情報を送信する送信部（送信手段）３０２を含む情報提供装置（情報提供手段）３００と、情報記憶部３０１が記憶している情報を表示する情報読み取り装置（情報読み取り手段）２００とを含み、情報読み取り装置２００は、送信部３０２が送信した情報を受信して読み取る情報読み取り部（受信手段）２０１、情報読み取り部２０１が読み取った情報から値引きに関する情報である値引き情報を抽出する値引き情報抽出部２０３、値引き情報抽出部２０３が抽出した暗号化されている値引き情報を復号する値引き情報変換部（情報復号手段）２０４、情報を表示する表示部（表示手段）２０５、および情報読み取り装置２００の各部を制御する制御部２０２を含む。
【００２９】
情報記憶部３０１は、例えば、商品名等の商品の情報である商品情報と、値引き情報とを記憶している。値引き情報は、例えば、最大値引率を示す情報である。情報記憶部３０１は、値引き情報を暗号化して記憶していてもよい。情報記憶部３０１は、例えば、ＲＦＩＤタグによって実現され、プライスカードに付随している。ここで、「プライスカードに付随する」とは、プライスカードの表面に付けられたり印刷されたりするだけでなく、プライスカードに吊り下げられたり、プライスカードに内蔵されたりする場合など、プライスカードに付属していることが明らかな状態をいう。図２は、情報提供装置３００が付随しているプライスカードの一例を示す説明図である。なお、情報提供装置３００は、情報を記憶し、情報記憶部３０１が記憶している情報を無線通信（例えば、各周波数帯の電波や、赤外線、可視光等）で送信することができるデバイスであればよく、ＲＦＩＤタグに限定するものではない。また、プライスカードは、例えば、ロイコカードのように、複数回表示を書き換え可能なリライタブルシートによって実現されてもよい。情報読み取り装置２００は、例えば、ＲＦＩＤリーダによって実現される。また、情報提供装置３００は、プライスカードが内蔵し不可分なものであってもよいし、情報提供装置３００が有する機能をもたないプライスカードに付随するものであってもよい。
【００３０】
情報読み取り部２０１は、送信部３０２が送信した商品情報と値引き情報とを受信して読み取り、制御部２０２に出力する。制御部２０２は、情報読み取り部２０１が出力した商品情報と値引き情報とを値引き情報抽出部２０３に出力する。値引き情報抽出部２０３は、商品情報と値引き情報とから、値引き情報を抽出し、抽出した値引き情報を制御部２０２を介して値引き情報変換部２０４に出力する。値引き情報変換部２０４は、暗号化されている値引き情報を復号して制御部２０２に出力する。制御部２０２は、商品情報と復号された値引き情報とを表示部２０５に出力する。表示部２０５は、商品情報と復号された値引き情報とを表示する。なお、表示手段として表示部２０５を例示したが、表示手段は、画面に情報を表示するものに限定するものではなく、音声をイヤフォンで出力する等、情報読み取り装置２００の使用者に情報を通知できるものであればよい。
【００３１】
なお、情報記憶部３０１が記憶している情報は、商品情報と値引き情報に限定するものではなく、例えば、在庫数や、在庫数に応じた商品発注のタイミング、在庫を売り切るまでの期間、店舗の事情により顧客に勧める商品等を示す情報であってもよい。
【００３２】
情報読み取り装置２００は、コンピュータに、商品を取り扱う従業員のみが使用する情報を含む商品に関する情報を記憶する情報記憶手段から情報を読み取らせる情報読み取り処理と、情報読み取り処理で読み取った情報を表示させる表示処理とを実行させることを特徴とする商品情報管理プログラムを搭載する。
【００３３】
次に、本発明の第１の実施の形態の動作について図面を参照して説明する。図３は、本発明の第１の実施の形態の動作を説明するフローチャートである。
【００３４】
量販店等の店舗において、例えば、商品が納入された際に、店舗の店員（従業員）が、図２の例に示したようなプライスカードを作成する（ステップＳ１０１）。このとき、店員は、例えば、ＲＦＩＤライタを用いて、情報記憶部３０１に商品情報や値引き情報（ここでは、一例として最大値引率を示す情報とする）を記憶させ、プライスカードに情報提供装置３００を付随させる。
【００３５】
店員は、商品を店舗の商品陳列棚に置く際に、情報提供装置３００が付随したプライスカードを各商品を置いた商品陳列棚に取り付ける（ステップＳ１０２）。なお、各店員は、情報記憶部３０１が記憶している情報を読み取る情報読み取り装置２００を携帯しているものとする。
【００３６】
店員は、顧客から値引きに関する質問があると、情報読み取り装置２００を操作して、情報読み取り部２０１に、情報記憶部３０１が記憶している情報を読み取らせる（ステップＳ１０３）。図４は、情報読み取り装置２００が情報記憶部３０１が記憶している情報を読み取る際の動作を示す説明図である。情報読み取り部２０１は、情報記憶部３０１が記憶している商品情報と値引き情報とを読み取って、制御部２０２に出力する。制御部２０２は、情報読み取り部２０１が出力した商品情報と値引き情報とを値引き情報抽出部２０３に出力する。値引き情報抽出部２０３は、商品情報と値引き情報とから、値引き情報を抽出し（ステップＳ１０４）、制御部２０２を介して抽出した値引き情報を値引き情報変換部２０４に出力する。ここで、値引き情報抽出部２０３が抽出した値引き情報は暗号化されており、“Ｓ１Ｗ５０”であったものとする。値引き情報変換部２０４は、暗号化されている値引き情報を復号して（ステップＳ１０５）、制御部２０２に出力する。ここで、値引き情報変換部２０４は、“Ｓ１Ｗ５０”を復号して、“２００４年６月以降は最大５０％引き”に変換したものとする。
【００３７】
制御部２０２は、商品情報と復号された値引き情報とを表示部２０５に出力する。表示部２０５は、商品情報と復号された値引き情報である“２００４年６月以降は最大５０％引き”と表示する（ステップＳ１０６）。すると、店員は、表示部２０５が表示している情報を見て、例えば、２００４年６月以降であれば店員の裁量で商品を値引率５０％以下の範囲内の値引き額を顧客に提示したり、２００４年６月より前であれば「６月以降になればもっとお安くできます。」等のセールストークを顧客に行うことができる。すなわち、店員は、表示部２０５が表示している情報を顧客に見せずに自身のみが見ることにより、正確かつ顧客に知られることなく値引き情報を知ることができ、円滑にセールストークを行うことができる。
【００３８】
以上、述べたように、この実施の形態によれば、店員が顧客に対して適切な値引率をすばやく提示することにより、セールストークをスムーズに行うことができるため、店舗の売り上げを増加させることができる。
【００３９】
実施の形態２．
本発明の第２の実施の形態について図面を参照して説明する。図７は、本発明の第２の実施の形態を説明するブロック図である。
【００４０】
本発明の第２の実施の形態の構成は、情報読み取り装置２００が、情報の読み取りの要求を示す信号である情報読み取り要求信号を情報提供装置３００に送信する要求送信部（要求送信手段）２０６を含み、情報提供装置３００が、情報読み取り要求信号を受信する要求受信部（要求受信手段）３０３を含む点が第１の実施の形態の構成と異なり、その他の構成は、第１の実施の形態と同様である。そのため、第１の実施の形態と同様な部分は、図１と同じ符号を付し、説明を省略する。なお、本発明では、情報提供装置３００として、パッシブ型のＲＦＩＤタグを用いることが好ましいのであるが、図７に示す要求送信部２０６は、例えば、パッシブ型のＲＦＩＤタグを用いる場合に、情報提供装置３００で使用される電力を供給する役割も果たす。また、要求受信部３０３は、情報提供装置３００から送信された電波による情報読み取り要求信号から、情報提供装置３００で使用される電力を生成する機能も含む。パッシブ型のＲＦＩＤタグを用いる場合には、要求受信部３０３は受信アンテナを含み、送信部３０２は送信アンテナを含むが、送信部３０２と要求受信部３０３が一体化され、情報提供装置３００は、一つの送受信アンテナを含む構成であってもよい。
【００４１】
情報読み取り装置２００の制御部２０２は、使用者の操作に応じて要求送信部２０６に、情報読み取り要求信号を送信させる。情報提供装置３００の要求受信部３０３は、情報読み取り要求信号を受信すると、受信した情報読み取り要求信号を送信部３０２に出力する。送信部３０２は、情報読み取り要求信号が入力されると、情報記憶部３０１から情報記憶部３０１が記憶している情報を読み出し、読み出した情報を情報読み取り装置２０１の情報読み取り部２０１に送信する。
【００４２】
情報読み取り装置２００は、コンピュータに、情報記憶手段が記憶している商品を取り扱う従業員のみが使用する情報を含む商品に関する情報を送信する送信手段から商品に関する情報を受信させる受信処理と、受信処理で受信した商品に関する情報を表示させる表示処理とを実行させることを特徴とする商品情報管理プログラムを搭載している。
【００４３】
以上、述べたように、この実施の形態によれば、情報読み取り装置２００は、使用者の操作に応じて情報読み取り要求信号を情報提供装置３００に送信し、情報提供装置３００は、情報読み取り装置２００の要求に従って情報を送信する。そのため、情報提供装置３００は、情報読み取り装置２００の使用者が情報を必要としない時には情報を送信しないため、電力消費量は少ない。特に、情報提供装置３００としてＲＦＩＤタグが用いられる場合には、情報提供装置３００において電源は必要とされない。すなわち、パッシブ型のＲＦＩＤタグを使用することができる。
【産業上の利用可能性】
【００４４】
本発明は、量販店等における商品の情報管理に利用することができる。
【図面の簡単な説明】
【００４５】
【図１】本発明の第１の実施の形態を説明するブロック図である。
【図２】情報提供装置が付随しているプライスカードの一例を示す説明図である。
【図３】本発明の第１の実施の形態の動作を説明するフローチャートである。
【図４】情報読み取り装置が情報記憶部が記憶している情報を読み取る際の動作を示す説明図である。
【図５】プライスカードの一例を示す説明図である。
【図６】値引率の上限を示す暗号を表示しているプライスカードの一例である。
【図７】本発明の第２の実施の形態を説明するブロック図である。
【符号の説明】
【００４６】
１０１  商品名表示部
１０２  バーコード
１０３  商品価格表示部
１０４  値引き情報表示部
２００  情報読み取り装置
２０１  情報読み取り部
２０２  制御部
２０３  値引き情報抽出部
２０４  値引き情報変換部
２０５  表示部
２０６  要求送信部
３００  情報提供装置
３０１  情報記憶部
３０２  送信部
３０３  要求受信部
【図１】
2006040138.tif 000003
【図２】
2006040138.tif 000004
【図３】
2006040138.tif 000005
【図４】
2006040138.tif 000006
【図５】
2006040138.tif 000007
【図６】
2006040138.tif 000008
【図７】
2006040138.tif 000009